(57)【要約】【課題】ロ−ル紙の引出部分を搬送ローラ対に挟持させる際の作業性（ロ−ル紙のセット性）を向上させた画像形成装置を提供する。【解決手段】リリースレバー８０を矢印Ｅ方向に回動することにより、ピンチローラ２８と駆動ローラ２４は挟持状態から非挟持状態へ移行する。この移行と同時に、リンクレバー１０２が引き下げられるので、回転トルク発生部１１０の突起１１０ａが長孔１０２ａの底から離れて長孔１０２ａの中央部に位置する。従って、回転トルク発生部１１０はコイルばね１２０の付勢力によって回動軸１１０ｃを中心にして、受け台９０の開口９０ａから凸部１１０ｄが突出する方向に回動する。これにより凸部１１０ｄがスプール軸８２の長手方向一端部に当接して、ロ−ル紙Ｐが引き出される回転方向とは反対の方向の負荷をロ−ル紙Ｐに作用させることとなる。【選択図】  図７
2006035620.tif 000002
【特許請求の範囲】
【請求項１】
ロール状に巻かれたロ−ル紙を回転させることにより引き出して、この引き出した引出部分を搬送ローラ対に挟持させながら搬送して前記引出部分に画像を形成する画像形成装置において、
前記搬送ローラ対は、前記引出部分を挟持する挟持状態及び前記引出部分を挟持しない非挟持状態のいずれかに切り換えられるものであり、
前記搬送ローラ対が前記非挟持状態のときにロ−ル紙の回転を抑制する抑制手段を備えたことを特徴とする画像形成装置。
【請求項２】
前記抑制手段は、
ロ−ル紙が引き出される回転方向とは反対の方向の負荷を該ロ−ル紙に作用させるものであることを特徴とする請求項１に記載の画像形成装置。
【請求項３】
前記抑制手段は、
前記搬送ローラ対が前記挟持状態から前記非挟持状態に切り換えられたときにロ−ル紙の回転を抑制し始めるものであることを特徴とする請求項１又は２に記載の画像形成装置。
【請求項４】
前記搬送ローラ対が前記非挟持状態のときには、前記挟持状態のときよりも大きな抑制力でロ−ル紙の回転を抑制することを特徴とする請求項１，２，又は３に記載の画像形成装置。
【発明の詳細な説明】
【技術分野】
【０００１】
本発明は、ロール状に巻かれたロ−ル紙を引き出してこの引き出した部分（引出部分）に画像を形成する画像形成装置に関する。
【背景技術】
【０００２】
近年、コンピュータやワークステーションの出力装置として、所定の搬送方向に搬送される記録紙などの記録媒体にインクを吐出して画像を形成するインクジェット方式の画像形成装置が知られている。このインクジェット方式の画像形成装置は、通常、インクを吐出する複数のインク吐出孔が形成された印字ヘッドや、この印字ヘッドを搭載して所定の主走査方向に走査する（往復動する）キャリッジなどを備えている、いわゆるシリアルタイプのものがある。また、この他のタイプとしては、記録媒体の幅方向（記録媒体の搬送方向に直交する方向）に延びる長い印字ヘッドを固定しておき、この幅方向に直交する方向（搬送方向）に記録媒体を搬送させながらこの記録媒体に画像を形成するタイプ（固定ヘッドタイプ）のものも知られている。
【０００３】
上記したシリアルタイプの画像形成装置で記録媒体に画像を形成する際は、搬送中の記録媒体を一時的に停止させ、キャリッジを上記の主走査方向に往復動させながら、画像情報を担持した画像信号に基づいてインク吐出孔からインクを吐出し、記録媒体のうちインク吐出孔に向き合う画像形成領域（印字領域）に位置する部分に画像を形成する。その後、記録媒体を所定の幅だけ搬送して停止させ、再び、キャリッジを上記の主走査方向に往復動させながら、画像信号に基づいてインク吐出孔からインクを吐出し、記録媒体のうち画像形成領域に新たに位置する部分に画像を形成する。このような動作を繰り返すことにより記録媒体に画像を形成する。
【０００４】
上記したシリアルタイプや固定ヘッドタイプの画像形成装置では、記録媒体として、ロール状に巻かれたロール紙が使用されることがある（特許文献１参照）。ロ−ル紙は回転されながらその一端から引き出されて、この引き出された部分（引出部分）に画像が形成される。ロ−ル紙に画像を形成するに際には、ロ−ル紙の搬送方向の上流側から下流側に向けてロ−ル紙を引き出して、引出部分を搬送ローラ対に挟持させる。ここでいう搬送ローラ対とは、画像形成領域よりもロ−ル紙搬送方向上流側に配置された駆動ローラとピンチローラをいう。
【特許文献１】特開２０００−２７２７７３号公報
【発明の開示】
【発明が解決しようとする課題】
【０００５】
ロ−ル紙の引出部分を搬送ローラ対に挟持させる作業は、ユーザが手で行う手動作業である。このため、ロ−ル紙の引出部分を搬送ローラ対に挟持させる際に、ロール紙の向きが曲がってしまい画像形成装置でエラーが発生するという問題がある。また、曲がったロール紙の向きを真直ぐに修正するために、ロール紙を引き出しすぎて無駄が発生してしまうという問題もある。このような問題は、ロ−ル紙の幅（ロ−ル紙の搬送方向に直交する方向の長さ）が長いときに発生し易い。
【０００６】
本発明は、上記事情に鑑み、ロ−ル紙の引出部分を搬送ローラ対に挟持させる際の作業性（ロ−ル紙のセット性）を向上させた画像形成装置を提供することを目的とする。
【課題を解決するための手段】
【０００７】
上記目的を達成するための本発明の画像形成装置は、ロール状に巻かれたロ−ル紙を回転させることにより引き出して、この引き出した引出部分を搬送ローラ対に挟持させながら搬送して前記引出部分に画像を形成する画像形成装置において、
（１）前記搬送ローラ対は、前記引出部分を挟持する挟持状態及び前記引出部分を挟持しない非挟持状態のいずれかに切り換えられるものであり、
（２）前記搬送ローラ対が前記非挟持状態のときにロ−ル紙の回転を抑制する抑制手段を備えたことを特徴とするものである。
【０００８】
ここで、
（３）前記抑制手段は、ロ−ル紙が引き出される回転方向とは反対の方向の負荷を該ロ−ル紙に作用させるものであってもよい。
【０００９】
また、
（４）前記抑制手段は、前記搬送ローラ対が前記挟持状態から前記非挟持状態に切り換えられたときにロ−ル紙の回転を抑制し始めるものであってもよい。
【００１０】
さらに、
（５）前記搬送ローラ対が前記非挟持状態のときには、前記挟持状態のときよりも大きな抑制力でロ−ル紙の回転を抑制してもよい。
【発明の効果】
【００１１】
本発明によれば、搬送ローラ対が非挟持状態のときには抑制手段によってロ−ル紙の回転が抑制されるので、ロ−ル紙が不用意に回転して引き出されることがない。このため、ロ−ル紙を真っ直ぐに引き出し易くなるのでセット性が向上し、さらに、ロ−ル紙を引出し過ぎることを防止できるのでロ−ル紙の無駄をなくせる。このような効果は、ロ−ル紙の幅が長いときには特に有効である。
【００１２】
また、搬送ローラ対が非挟持状態のときには、挟持状態のときよりも大きな抑制力でロ−ル紙の回転を抑制する場合は、挟持状態のときは非挟持状態のときよりも小さな抑制力でロ−ル紙の回転を抑制することとなり、挟持状態ではロ−ル紙が円滑に回転するので、ロ−ル紙を安定して搬送できる。
【発明を実施するための最良の形態】
【００１３】
本発明、印字ヘッドからロ−ル紙にインクを吐出して画像を形成するカラープリンタに実現された。
【実施例１】
【００１４】
図１と図２を参照して、本発明の画像形成装置の一例であるカラープリンタ（以下、プリンタという）の概略構成を説明する。
【００１５】
図１は、正面から見たプリンタの概略構成を示す斜視図である。図２は、背面から見たプリンタの概略構成を示す斜視図である。
【００１６】
プリンタ１０は、プリンタ１０を操作するための操作部１２を備えており、この操作部１２に配置された各種のスイッチ等により、オンライン/オフライン、コマンドなどが指示される。ロ−ル紙Ｐ（記録媒体の一例である）はその一端から引き出されて、この引き出された部分（引出部分）Ｐｈにプリンタ１０の内部でカラ−画像が印字されて、記録紙排紙口１４から矢印Ａ方向に排出される。なお、プリンタ１０の幅方向一端部には大容量のインクタンクユニット１６が配置されている。また、カバー１８を開くことによりプリンタ１０の内部を見ることができる。
【００１７】
ロ−ル紙Ｐは円筒状になっており、ロ−ル紙Ｐを所定位置に保持する際には、ロ−ル紙Ｐの内部空間に棒状のスプール軸８２が差し込まれる。スプール軸８２の長手方向一端部は受け台９０に、長手方向他端部は受け台９２に回転自在に固定されている。なお、ロ−ル紙Ｐの長手方向両端は移動しないようにサイド規制板８４で規制されている。
【００１８】
プリンタ１０の背面側には、ロ−ル紙Ｐが挿入される記録紙挿入口２０が形成されている。記録紙挿入口２０には、プリンタ１０の内部にロ−ル紙Ｐなどの記録紙を案内する給紙ガイド２２が取り付けられている。また、プリンタ１０の背面側には、後述する駆動ローラ２４（図４参照）とピンチローラ２８を接離させるリリースレバー８０が配置されている。このリリースレバー８０については後述する。
【００１９】
図３と図４を参照して、記録紙の搬送経路と印字（画像形成）工程などを説明する。
【００２０】
図３は、プリンタの内部を示す斜視図である。図４は、プラテンとその周辺部分を拡大して示す斜視図である。これらの図では、図１と図２に示す構成要素と同一の構成要素には同一の符号が付されている。
【００２１】
プリンタ１０では、シ−ト状の記録紙と、ロ−ル状に巻かれた記録紙（ロ−ル紙Ｐ）に印字できる。ここでは、本体後面側の記録紙挿入口２０（図２参照）から挿入されたロ−ル紙Ｐの搬送経路を説明する。
【００２２】
ロ−ル紙Ｐを長手方向一端から引き出して、この引き出した引出部分Ｐｈを矢印Ｂ方向（図２参照）から記録紙挿入口２０に挿入する。挿入されたロ−ル紙Ｐの引出部分Ｐｈは給紙ガイド２２に案内されて、駆動ローラ２４と、ピンチロ−ラア−ム２６に回転自在に固定されたピンチロ−ラ２８に狭持されながら、プラテン３０の印字部３０ａ（画像形成領域）に搬送される。印字部３０ａには、多数の吸引孔３０ｂが形成されており、引出部分Ｐｈが印字部３０ａを搬送される際は、印字部３０ａの下方から吸引ファン（図示せず）によって、印字部３０ａの上方を通過中の引出部分Ｐｈを、吸引孔３０ｂを通して吸引し、印字部３０ａの上面から引出部分Ｐｈが浮かないようにする。その後、引出部分Ｐｈは駆動ローラ２４とピンチロ−ラ２８に狭持されながら、さらに搬送されて本体前面側の記録紙排紙口１４（図1参照）から排出される。
【００２３】
プリンタ１０は、矢印Ｃ方向（主走査方向）に往復動するキャリッジ４０を備えている。キャリッジ４０はヘッドホルダ４２を備えており、このヘッドホルダ４２には、印字ヘッド４４が着脱自在に装着される。印字ヘッド４４には、インクタンクユニット４６（ブラック、シアン、マゼンタ、イエロ−、淡シアン、淡マゼンタの６色搭載）からインク供給チュ−ブ（インク導管）４８を経由してインクが供給される。
【００２４】
プリンタ１０は、ロ−ル紙Ｐに縁無し印字を行えるタイプである。このため、印字ヘッド４４から吐出されてロ−ル紙Ｐからはみ出したインクを受ける凹状のインク受け３０ｃＳ，３０ｃＬがプラテン３０には形成されている。各インク受け３０ｃＳ，３０ｃＬは、多数の吸引孔３０ｂと並んで印字部３０ａに形成されている。また、プラテン３０には、ロ−ル紙Ｐをプラテン３０に載置するときの基準になる直線状の目印であるＨＰ（ホームポジション）が形成されている。従って、幅のサイズに拘らず各種のロ−ル紙Ｐをプラテン３０に載置するときは、ロ−ル紙Ｐの紙端（矢印Ｃ方向の一端）がＨＰに合わせられる。なお、インク受け３０ｃＳは、幅（矢印Ｃ方向の長さ）の小さいロ−ル紙の紙端（矢印Ｃ方向の他端）からはみ出したインクを受けるものであり、インク受け３０ｃＬは、幅（矢印Ｃ方向の長さ）の大きいロ−ル紙の紙端（矢印Ｃ方向の他端）からはみ出したインクを受けるものである。
【００２５】
キャリッジ４０は、キャリッジ駆動モ−タ５０の回転軸に掛設されたベルト５２に固定されており、このベルト５２は、キャリッジ駆動モ−タ５０の正逆回転によって矢印Ｃ方向に往復する。ベルト５２が矢印Ｃ方向に往復することによりキャリッジ４０も２本の案内レ−ル５４に案内されて矢印Ｃ方向に往復動する。
【００２６】
プリンタ１０の本体（装置本体）におけるキャリッジ４０の位置を検出するために、キャリッジが走査する（往復動する）範囲の全域にわたって、リニアエンコーダスケール５６が配置されている。このリニアエンコーダスケール５６は、光学または磁気を利用したセンサによってキャリッジ４０の位置を検出するためのものである。キャリッジ４０には、リニアエンコーダスケール５６を光学的（又は磁気的）に読むスケール読取器（図示せず）が搭載されている。このスケール読取器でリニアエンコーダスケール５６を読むことによりキャリッジ４０の位置が検出される。なお、リニアエンコーダスケール５６とスケール読取器は周知の構造である。
【００２７】
ロ−ル紙Ｐは、矢印Ｃ方向に直交する方向（ロ−ル紙Ｐの搬送方向）に断続的に搬送される。ロ−ル紙Ｐの引出部分Ｐｈに画像を形成するときは、ロ−ル紙Ｐを一時停止させておき、キャリッジ４０を矢印Ｃ方向に往復動させながら、引出部分Ｐｈのうち画像形成領域（印字部３０ａに相当する領域）に位置する部分に、印字ヘッド４４からインクを吐出する。その後、所定長さだけロ−ル紙Ｐを搬送して画像形成領域に位置する新たな部分に次のバンド分の画像を形成する。この動作をロ−ル紙Ｐの全長に亘って繰り返す。これによりロ−ル紙Ｐにカラ−画像が形成され、画像の形成されたロ−ル紙Ｐは駆動ローラ２４とピンチロ−ラ２８とに挟持されて搬送されながら記録紙排紙口１４から排出される。
【００２８】
図５から図７までを参照して、抑制ユニット（本発明にいう抑制手段の一例である）について説明する。
【００２９】
図５は、抑制ユニットの上方部分の概略構成を示す斜視図であり、一部を切り欠いて示している。図６は、ロ−ル紙の回転を抑制しない状態の抑制ユニットを示す斜視図である。図７は、ロ−ル紙の回転を抑制する状態の抑制ユニットを示す斜視図である。これらの図では、図１から図４までに示す構成要素と同一の構成要素には同一の符号が付されている。
【００３０】
先ず、ピンチローラ２８を回転自在に支持する構成について説明する。
【００３１】
図５に示すようにピンチローラ２８は駆動ローラ２４の真上に位置しており、駆動ローラ２４から接離するようになっている。駆動ローラ２４は円柱状の一本のものであるが、ピンチローラ２８は、複数個の小さなローラ（それぞれがピンチローラ２８）が一本の回転軸２８ａに回転自在に固定された構成になっている。回転軸２８ａの複数箇所はピンチローラアーム２６の先端部に固定されている。図５では、複数個のピンチローラ２８が３個ずつのグループに分けられており、回転軸２８ａのうち各グループの両端部に相当する位置にはピンチローラアーム２６の先端部が固定されている。ピンチローラアーム２６は、ピンチローラ２８の数に応じて配置されており、図５には、一組のピンチローラアーム２６のみが示されている。大型サイズのプリンタでは、多くのピンチローラアーム２６が組み込まれている。
【００３２】
ピンチローラアーム２６の後端部２６ａは直方体状のものであり、ピンチローラアーム２６は回動軸２６ｂを介してアーム支持板６０に回動自在に固定されている。このアーム支持板６０は、プリンタ１０の本体に固定されている。アーム支持板６０のうち、ピンチローラアーム２６の後端部２６ａの近傍部分に対向する面には、コイルばね７０の上端部が固定されている。このコイルばね７０の下端部は、ピンチローラアーム２６の後端部２６ａの上面に固定されている。このため、ピンチローラアーム２６は、回動軸２６ｂを中心にして後端部２６ａが上がるようにコイルばね７０に付勢されている。すなわち、ピンチローラアーム２６は、ピンチローラ２８が駆動ローラ２４に押し付けられるようにコイルばね７０によって付勢されている。
【００３３】
ピンチローラアーム２６の後端部２６ａの上方には、回動軸２６ｂに平行にピンチローラ軸６２が延びている。ピンチローラ軸６２には、一組のピンチローラアーム２６毎にピンチローラカム６４が固定されている。また、ピンチローラ軸６２の長手方向一端部には、外周に歯が形成された円板状のピンチローラギア６６が固定されている。後述するように、リリースレバー８０を回動することによりピンチローラギア６６も回動し、このピンチローラギア６６の回動に伴ってピンチローラアーム２６も回動する。この場合、図２に示すようにリリースレバー８０がプリンタ１０の背面側に収まっている状態では、ピンチローラカム６４はピンチローラアーム２６の後端部２６ａから離れているので、ピンチローラアーム２６にはコイルばね７０の付勢力が作用している。この付勢力によって、ピンチローラ２８が駆動ローラ２４に押し付けられるまでピンチローラアーム２６は回動軸２６ｂを中心にして回動する。ピンチローラ２８が駆動ローラ２４に押し付けられている状態は、本発明にいう挟持状態である。なお、ピンチローラ２８が駆動ローラ２４から離れている状態は、本発明にいう非挟持状態である。
【００３４】
挟持状態から非挟持状態に移行させるためには、リリースレバー８０を矢印Ｅ方向に回動させる。この回動によって、ギア部８０がピンチローラギア６６を、図５では反時計方向（矢印Ｇ方向）に回動させるので、ピンチローラ軸６２と共にピンチローラカム６４が回動してピンチローラアーム２６の後端部２６ａを押し下げる。これにより、コイルばね７０の付勢力に打ち勝って、ピンチローラ２８が駆動ローラ２４から離れるまでピンチローラアーム２６は回動軸２６ｂを中心にして回動する。
【００３５】
リリースレバー８０とこのリリースレバー８０に連結された抑制ユニット１００について説明する。
【００３６】
図５に示すようにリリースレバー８０は「Ｌ」字状のものであり、ピンチローラ軸６２の一端部にだけ配置されている。リリースレバー８０のうち「Ｌ」字の短い辺の先端部には、リリースレバー８０の回動軸８０ａが形成されている。リリースレバー８０は回動軸８０ａを中心にして矢印Ｄ，Ｅ方向に手動で回動する。リリースレバー８０のうち「Ｌ」字の短い辺の上面（すなわち、回動軸８０ａの上方の面）には、扇形のギア部８０ｂが形成されている。このギア部８０ｂの円弧の部分には歯が形成されており、ピンチローラギア６６に噛み合っている。従って、リリースレバー８０を矢印Ｄ，Ｅ方向に回動させることによりギア部８０ｂと共にピンチローラギア６６も回動する。
【００３７】
上述したようにリリースレバー８０がプリンタ１０の背面側に収まっている状態（駆動ローラ２４とピンチローラ２８は挟持状態）から非挟持状態に移行させるためには、摘み８０ｄを掴んでリリースレバー８０を矢印Ｅ方向に回動させる。この逆に、非挟持状態から挟持状態に移行させるためには、摘み８０ｄを掴んでリリースレバー８０を矢印Ｄ方向に回動させる。
【００３８】
リリースレバー８０の曲がっている部分（屈曲部）には、抑制ユニット１００のリンクレバー１０２が連結される連結軸８０ｃが形成されている。連結軸８０ｃは、リリースレバー８０の側面からピンチローラ軸６２に平行に突出した細い円柱状のものである。リンクレバー１０２は細長い板状のものであり、その上端部が連結軸８０ｃに回動自在に連結されている。リンクレバー１０２は下方に延びており、その下端部は受け台９０の近傍に位置している。
【００３９】
上記した抑制ユニット１００は、リンクレバー１０２と、このリンクレバー１０２に連結された回転トルク発生部１１０とを備えている。リンクレバー１０２の下端部には、その長手方向に延びる長孔１０２ａが形成されている。一方、回転トルク発生部１１０は「Ｌ」字状のものであり、その上端部の側面には、長孔１０２ａに差し込まれた円柱状の突起１１０ａが形成されている。突起１１０ａの下方には、コイルばね１２０の上端部が引っ掛けられた引掛部１１０ｂが形成されている。コイルばね１２０の下端部はプリンタ１０の本体に固定されている。回転トルク発生部１１０の「Ｌ」字の下辺には、回転トルク発生部１１０が回動するときの中心軸となる回動軸１１０ｃが形成されている。また、回転トルク発生部１１０の「Ｌ」字の下辺の中央部から先端部までの表面には、山状の凸部１１０ｄが形成されている。凸部１１０ｄが嵌め込まれる開口９０ａが受け台９０に形成されている。
【００４０】
回転トルク発生部１１０はコイルばね１２０によって回動軸１１０ｃを中心にして回動するように付勢されている。コイルばね１２０の付勢力による回動の向きは、開口９０ａに凸部１１０ｄが嵌め込まれるようになる向きである。リリースレバー８０がプリンタ１０の背面側に収まっている状態（駆動ローラ２４とピンチローラ２８は挟持状態）のときは、図６に示すように、リンクレバー１０２が引き上げられるので、回転トルク発生部１１０の突起１１０ａが長孔１０２ａの底に当接して引き上げられる。従って、回転トルク発生部１１０は回動軸１１０ｃを中心にして、受け台９０の開口９０ａから凸部１１０ｄが離れる方向に回動する。すなわち、駆動ローラ２４とピンチローラ２８がロ−ル紙Ｐの引出部分Ｐｈを挟持できる挟持状態のときは、受け台９０の開口９０ａから凸部１１０ｄが突出していない。
【００４１】
受け台９０の開口９０ａが形成されている凹部９０ｂには、スプール軸８２の長手方向一端部が嵌まり込んで回転自在に支持される。上記のように挟持状態のときには、開口９０ａから凸部１１０ｄが突出していないので、凸部１１０ｄはスプール軸８２の回転を抑制しない。従って、スプール軸８２は凸部１１０ｄによる抑制を受けずに円滑に回転できる。
【００４２】
一方、リリースレバー８０がプリンタ１０の背面側に収まっている状態から図５の矢印Ｅ方向に回動された状態では、上述したようにピンチローラ２８が駆動ローラ２４から離れて、駆動ローラ２４とピンチローラ２８はロ−ル紙Ｐの引出部分Ｐｈを挟持できない非挟持状態となる。すなわち、リリースレバー８０を矢印Ｅ方向に回動することにより、ピンチローラ２８と駆動ローラ２４は挟持状態から非挟持状態へ移行する。この移行と同時に、図７に示すように、リンクレバー１０２が引き下げられるので、回転トルク発生部１１０の突起１１０ａが長孔１０２ａの底から離れて長孔１０２ａの中央部に位置する。従って、回転トルク発生部１１０はコイルばね１２０の付勢力によって回動軸１１０ｃを中心にして、受け台９０の開口９０ａから凸部１１０ｄが突出する方向に回動する。これにより凸部１１０ｄがスプール軸８２の長手方向一端部に当接して、ロ−ル紙Ｐが引き出される回転方向とは反対の方向の負荷をロ−ル紙Ｐに作用させることとなる。すなわち、駆動ローラ２４とピンチローラ２８がロ−ル紙Ｐの引出部分Ｐｈを挟持できない非挟持状態のときは、受け台９０の開口９０ａから凸部１１０ｄが突出しており、この凸部１１０ｄがスプール軸８２の回転を抑制するので、スプール軸８２は凸部１１０ｄによる抑制によって回転しにくくなる。この結果、ロ−ル紙Ｐのセット時にロ−ル紙Ｐが不用意に引き出されることはなく、ロ−ル紙Ｐを真っ直ぐに引き出し易く成るので、ロ−ル紙Ｐのセット性が向上し、さらに、ロ−ル紙Ｐを引き出し過ぎることを防止できるのでロ−ル紙Ｐの無駄をなくせる。
【００４３】
図８を参照して、受け台９２とスプール軸８２の長手方向他端部について説明する。
【００４４】
図８は、スプール軸８２の長手方向他端部（受け台９０に支持される一端部とは反対側の端部）には、スプール軸８２の回転を抑制するトルクリミッタ８３が取り付けられている。このトルクリミッタ８３は、上記の挟持状態のときに抑制ユニット１００が発生させるスプール軸８２の回転の抑制力（回転トルク）よりも小さい抑制力を発生させる。
【００４５】
トルクリミッタ８３は円柱状のものであり、その長手方向端部の外周面には、所定間隔で並んだ複数の爪８３ａが形成されている。また、トルクリミッタ８３は、受け台９２の凹部９２ａに載置される。この凹部９２ａの底面には、爪８３ａが引っ掛けられる突起９２ｂが形成されている。爪８３ａが突起９２ｂに引っ掛かることによりトルクリミッタ８３が作動して、スプール軸８２の回転を抑制する抑制力が発生する。
【００４６】
上記の非挟持状態のときには抑制ユニット１００及びトルクリミッタ８３双方が、スプール軸８２の回転（すなわち、ロ−ル紙Ｐの回転）を抑制する抑制力を生じさせる。一方、上記の挟持状態のときは抑制ユニット１００による抑制力が生じないので、トルクリミッタ８３による抑制力のみが生じる。この結果、挟持状態のときにはロ−ル紙Ｐを安定して円滑に搬送できることとなる。
【図面の簡単な説明】
【００４７】
【図１】正面から見たプリンタの概略構成を示す斜視図である。
【図２】背面から見たプリンタの概略構成を示す斜視図である。
【図３】プリンタの内部を示す斜視図である。
【図４】プラテンとその周辺部分を拡大して示す斜視図である。
【図５】抑制ユニットの上方部分の概略構成を示す斜視図であり、一部を切り欠いて示している。
【図６】ロ−ル紙の回転を抑制しない状態の抑制ユニットを示す斜視図である。
【図７】ロ−ル紙の回転を抑制する状態の抑制ユニットを示す斜視図である。
【図８】受け台とスプール軸の長手方向他端部を示す斜視図である。
【符号の説明】
【００４８】
１０  プロッタ
２４  駆動ローラ
２８  ピンチローラ
８０  リリースレバー
８３  トルクリミッタ
１００  抑制ユニット
１０２  リンクレバー
１１０  回転トルク発生部
１１０ａ  突起
Ｐ  ロ−ル紙
【図１】
2006035620.tif 000003
【図２】
2006035620.tif 000004
【図３】
2006035620.tif 000005
【図４】
2006035620.tif 000006
【図５】
2006035620.tif 000007
【図６】
2006035620.tif 000008
【図７】
2006035620.tif 000009
【図８】
2006035620.tif 000010